(57)【要約】【課題】光源の冷却を適切に行って、三次元画像表示装置に好適な光源を実現する。【解決手段】光源２４３と、光源２４３からの光を左眼用の光と右眼用の光とに屈折させる光学系部材２２８とを、ケース２２３，２３７に備える画像表示装置において、ケース２２３，２３７は、光源２４３が配設される領域と光学系部材２２８が配設される領域とを区画する区画部材２１２により光源配設空間と光学系部材配設空間とを形成し、吸気口２８８と排気口２７４とファン２８６とから構成される換気手段を備え、換気手段により光源配設空間のみの空気が流動し換気され、区画部材２１２で区画形成された光学系部材配設空間の空気は流動しないようにした。【選択図】        図３
2004289248.tif 000002
【特許請求の範囲】
【請求項１】
光源と、光源からの光を左眼用の光と右眼用の光とに屈折させて液晶表示パネルに対して照射する光学系部材とを、ケースに備える画像表示装置において、
前記ケースは、前記光源が配設される領域と前記光学系部材が配設される領域とを区画する区画部材により光源配設空間と光学系部材配設空間とを形成し、
ケース外部からの空気を前記光源配設空間に吸気するために形成される吸気口と、前記光源配設空間の空気をケース外部へと排気するために形成される排気口と、前記光源配設空間の空気を電気的駆動源の作動により入れ換えるファンと、から構成される換気手段を備え、
前記換気手段により前記光源配設空間のみの空気が流動し換気され、前記区画部材で区画形成された前記光学系部材配設空間の空気は流動しないようにしたことを特徴とする画像表示装置。
【請求項２】
前記光源を、光源ユニットとして、中空空間を形成した収納ホルダに収納し、
前記光源ユニットに、中空空間の空気の入れ換えを行うための導入口と排出口とを形成し、
前記区画部材は、光を透過するクリア部材で形成し、
前記光源ユニットは、前記区画部材により区画される前記光源配設空間に配設し、
前記換気手段は、前記光源配設空間の前記ケースの壁部に前記吸気口および前記排気口を設けて前記光源ユニット内を換気するものとしたことを特徴とする請求項１に記載の画像表示装置。
【請求項３】
前記光源を、光源ユニットとして、中空空間を形成した収納ホルダに収納すると共に、該光源の前面に光を特定の偏光にするための偏光フィルタを配設し、
前記光源ユニットに、中空空間の空気の入れ換えを行うための導入口と排出口とを形成し、
前記区画部材は、前記光源ユニットの周壁に沿うように形成して、前記偏光フィルタを前記光学系部材配設空間に位置させるように構成し、
前記換気手段は、前記区画部材により区画される前記光源配設空間の前記ケースの壁部に前記吸気口および前記排気口を設けて前記光源ユニット内を換気するものとしたことを特徴とする請求項１に記載の画像表示装置。
【請求項４】
前記光源を基板の表面に取り付けて、前記光源ユニットの中空空間を前記基板を介して基板表面側の前側空間と基板裏面側の後側空間とに区画し、
前記導入口と前記排出口とを前記後側空間に開口し、
前記換気手段は、前記光源ユニット内の前記後側空間を換気するものとしたことを特徴とする請求項３に記載の画像表示装置。
【請求項５】
前記光源ユニットの収納ホルダを熱伝導性樹脂により形成したことを特徴とする請求項２〜４のいずれか１つに記載の画像表示装置。
【請求項６】
前記光源を取り付ける基板を金属部材により形成したことを特徴とする請求項１〜５のいずれか１つに記載の画像表示装置。
【請求項７】
光源と、光源からの光を左眼用の光と右眼用の光とに屈折させて液晶表示パネルに対して照射する光学系部材とを、ケースに備える画像表示装置において、
前記光学系部材を前記ケースに内装する一方、
前記光源を、光源ユニットとして、中空空間を形成した収納ホルダに収納して、前記光源ユニットを前記ケースに外装し、
前記光源ユニットに空気を吸気するために形成される吸気口と、前記光源ユニットの空気を外部へと排気するために形成される排気口と、前記光源ユニットの空気を電気的駆動源の作動により入れ換えるファンと、から構成される換気手段を備えたことを特徴とする画像表示装置。
【請求項８】
光源と、光源からの光を左眼用の光と右眼用の光とに屈折させて液晶表示パネルに対して照射する光学系部材とを、ケースに備える画像表示装置において、
前記ケースは、前記光源が配設される光源配設ケースと前記光学系部材が配設される光学系部材配設ケースとに分割構造に形成し、
ケース外部からの空気を前記光源配設ケースに吸気するために形成される吸気口と、前記光源配設ケースの空気をケース外部へと排気するために形成される排気口と、前記光源配設ケースの空気を電気的駆動源の作動により入れ換えるファンと、から構成される換気手段を備えたことを特徴とする画像表示装置。
【発明の詳細な説明】
【０００１】
【発明の属する技術分野】
本発明は液晶式の画像表示装置に関する。
【０００２】
【従来の技術】
従来三次元画像表示装置は、光源の前面左右に偏光方向が直交する右眼用偏光フィルタ部と左眼用偏光フィルタ部とを配置し、この各フィルタ部を通過した各光をフレネルレンズで平行光として液晶表示素子に照射し、この液晶表示素子の両面の偏光フィルタのそれぞれを、１水平ライン毎に互いに直交する直線偏光フィルタライン部を交互に配置し、且つ、光源側と観察側の対向する直線偏光フィルタライン部を直交する偏光方向とし、液晶表示素子の液晶パネルには２枚の偏光フィルタの透光ラインに合わせて１水平ライン毎に右眼用と左眼用の映像情報を交互に表示する構成であった。また、光源側の偏光フィルタを１水平ライン毎に互いに直交する直線偏光フィルタライン部を交互に配置し、観察側の偏光フィルタを光源側の偏光フィルタの一方の直線偏光フィルタライン部を有する直線偏光フィルタとし、液晶表示素子の液晶パネルには光源側の偏光フィルタの透光ラインに合わせて１水平ライン毎に右眼用と左眼用の映像情報を交互に表示する構成であった（例えば、特許文献１参照）。
【０００３】
【特許文献１】
特開平１０−６３１９９号公報
【０００４】
【発明が解決しようとする課題】
しかし、この従来の画像表示装置においては、光源の光量が十分ではなかった。そのため、光量を増やすことが望まれるが、光量の大きなものを使用した場合、発熱量が大きくなってしまう。
【０００５】
したがって、この熱対策として、表示装置のケース外から外気を導入して、ケース内を換気して冷却することが考えられるものの、この場合空気の入れ換えによってケース内で空気の流れができ、また入れ換わる空気もきれいな空気ばかりではないので、長時間経過することでケース内の光学系部材（フレネルレンズ等）にゴミやたばこのヤニが付着してしまい、これらの汚れによって画面が暗くなってしまう恐れがあった。また、これらの汚れに起因してクロストーク（例えば、左眼用の画像と右眼用の画像とが混在してしまう等）の発生の恐れもあり、意図した画像を表示できない恐れもあった。
【０００６】
この発明は、このような問題点を解決することを目的とする。
【０００７】
【課題を解決するための手段】
第１の発明は、光源と、光源からの光を左眼用の光と右眼用の光とに屈折させて液晶表示パネルに対して照射する光学系部材とを、ケースに備える画像表示装置において、前記ケースは、前記光源が配設される領域と前記光学系部材が配設される領域とを区画する区画部材により光源配設空間と光学系部材配設空間とを形成し、ケース外部からの空気を前記光源配設空間に吸気するために形成される吸気口と、前記光源配設空間の空気をケース外部へと排気するために形成される排気口と、前記光源配設空間の空気を電気的駆動源の作動により入れ換えるファンと、から構成される換気手段を備え、前記換気手段により前記光源配設空間のみの空気が流動し換気され、前記区画部材で区画形成された前記光学系部材配設空間の空気は流動しないようにした。
【０００８】
第２の発明は、第１の発明において、前記光源を、光源ユニットとして、中空空間を形成した収納ホルダに収納し、前記光源ユニットに、中空空間の空気の入れ換えを行うための導入口と排出口とを形成し、前記区画部材は、光を透過するクリア部材で形成し、前記光源ユニットは、前記区画部材により区画される前記光源配設空間に配設し、前記換気手段は、前記光源配設空間の前記ケースの壁部に前記吸気口および前記排気口を設けて前記光源ユニット内を換気するものとした。
【０００９】
第３の発明は、第１の発明において、前記光源を、光源ユニットとして、中空空間を形成した収納ホルダに収納すると共に、該光源の前面に光を特定の偏光にするための偏光フィルタを配設し、前記光源ユニットに、中空空間の空気の入れ換えを行うための導入口と排出口とを形成し、前記区画部材は、前記光源ユニットの周壁に沿うように形成して、前記偏光フィルタを前記光学系部材配設空間に位置させるように構成し、前記換気手段は、前記区画部材により区画される前記光源配設空間の前記ケースの壁部に前記吸気口および前記排気口を設けて前記光源ユニット内を換気するものとした。
【００１０】
第４の発明は、第３の発明において、前記光源を基板の表面に取り付けて、前記光源ユニットの中空空間を前記基板を介して基板表面側の前側空間と基板裏面側の後側空間とに区画し、前記導入口と前記排出口とを前記後側空間に開口し、前記換気手段は、前記光源ユニット内の前記後側空間を換気するものとした。
【００１１】
第５の発明は、第２〜第４の発明において、前記光源ユニットの収納ホルダを熱伝導性樹脂により形成した。
【００１２】
第６の発明は、第１〜第５の発明において、前記光源を取り付ける基板を金属部材により形成した。
【００１３】
第７の発明は、光源と、光源からの光を左眼用の光と右眼用の光とに屈折させて液晶表示パネルに対して照射する光学系部材とを、ケースに備える画像表示装置において、前記光学系部材を前記ケースに内装する一方、前記光源を、光源ユニットとして、中空空間を形成した収納ホルダに収納して、前記光源ユニットを前記ケースに外装し、前記光源ユニットに空気を吸気するために形成される吸気口と、前記光源ユニットの空気を外部へと排気するために形成される排気口と、前記光源ユニットの空気を電気的駆動源の作動により入れ換えるファンと、から構成される換気手段を備えた。
【００１４】
第８の発明は、光源と、光源からの光を左眼用の光と右眼用の光とに屈折させて液晶表示パネルに対して照射する光学系部材とを、ケースに備える画像表示装置において、前記ケースは、前記光源が配設される光源配設ケースと前記光学系部材が配設される光学系部材配設ケースとに分割構造に形成し、ケース外部からの空気を前記光源配設ケースに吸気するために形成される吸気口と、前記光源配設ケースの空気をケース外部へと排気するために形成される排気口と、前記光源配設ケースの空気を電気的駆動源の作動により入れ換えるファンと、から構成される換気手段を備えた。
【００１５】
【発明の効果】
第１の発明では、ケースに、光源が配設される領域と光学系部材が配設される領域とを区画する区画部材により光源配設空間と光学系部材配設空間とを形成し、ケース外部からの空気を光源配設空間に吸気するために形成される吸気口と、光源配設空間の空気をケース外部へと排気するために形成される排気口と、光源配設空間の空気を電気的駆動源の作動により入れ換えるファンと、から構成される換気手段を備え、換気手段により光源配設空間のみの空気が流動し換気され、区画部材で区画形成された光学系部材配設空間の空気は流動しないようにしたので、光源の冷却をできると共に、換気用空気中の浮遊ゴミやたばこの煙に含まれるヤニ等が光学系部材に付着して光学系部材が汚れるのを防止することができ、適正な画像を提供できる。
【００１６】
第２の発明では、区画部材は、光を透過するクリア部材で形成し、光源ユニットは、区画部材により区画される光源配設空間に配設し、換気手段は、光源配設空間のケースの壁部に吸気口および排気口を設けて光源ユニット内を換気するものとしたので、光源を効果的に冷却できると共に、光源ユニットの壁部からの放熱を低減して光源からの熱が光学系部材側に伝わるのを抑制でき、光路空間に画像に影響を及ぼしかねないいわゆる空気の揺らぎを生じることを防止できる。
【００１７】
第３の発明では、区画部材は、光源ユニットの周壁に沿うように形成して、光源の前面の偏光フィルタを光学系部材配設空間に位置させるように構成し、換気手段は、区画部材により区画される光源配設空間のケースの壁部に吸気口および排気口を設けて光源ユニット内を換気するものとしたので、光源の前面の偏光フィルタが汚れることがなく、その汚れによって画像に影響を及ぼすのを回避できる。
【００１８】
第４の発明では、偏光フィルタの内面側ならびに発光部位が汚れることを防止でき、汚れによる光量減少を的確に防止できる。
【００１９】
第５の発明では、光源の放熱性、冷却性を向上できる。
【００２０】
第６の発明では、光源の放熱性を向上でき、光源を十分に効率よく冷却することができる。
【００２１】
第７の発明では、光学系部材をケースに内装する一方、光源を、光源ユニットとして、中空空間を形成した収納ホルダに収納して、光源ユニットをケースに外装するので、光源の冷却を一層行いやすくなる。また、光源の交換性に優れる。
【００２２】
第８の発明では、ケースを、光源が配設される光源配設ケースと光学系部材が配設される光学系部材配設ケースとに分割構造に形成するので、光源の交換性に優れる。
【００２３】
【発明の実施の形態】
以下、本発明の実施の形態について、図面に基づいて説明する。
【００２４】
図１〜図４は、画像表示装置の正面図とそのＡ−Ａ線断面図と分解斜視図と後側構成部の斜視図である。
【００２５】
画像表示装置２２０は、前面ユニット２２１（前側構成部）と後部ユニット２２２（後側構成部）等から構成される。
【００２６】
前面ユニット２２１は、取付ベース（前面ケース部）２２３にカバー枠２２４、レンズ保持枠を介してディフューザ（拡散板）２２６、液晶表示パネルユニット２２７、フレネルレンズ２２８（光学系部材）が組み付けられる。
【００２７】
液晶表示パネルユニット２２７は、図５のように第１、第２偏光板２３０，２３１と液晶表示パネル２３２と微細位相差板２３３とから構成される。
【００２８】
液晶表示パネル２３２は、所定の大きさの２枚のガラス基材の間に所定の角度（例えば、９０度）ねじれて配向された液晶等（図示しない）が配置されており、例えば、ＴＦＴ型の液晶表示パネルに構成されている。
【００２９】
第１、第２偏光板２３０，２３１は、それぞれ一定の偏光の光のみを透過し、互いの偏光軸を直交する向きに、第１偏光板２３０は液晶表示パネル２３２の前面に、第２偏光板２３１は液晶表示パネル２３２の裏面に貼り付けられる。
【００３０】
微細位相差板２３３は、光透過性の基材（例えば、ガラス基材）２３４に、微細な幅の１／２波長板２３５が設けられた領域２３６ａと、１／２波長板２３５が設けられていない１／２波長板２３５の幅と同一の微細な幅の領域２３６ｂとが繰り返して設けられている。この領域２３６ａ、２３６ｂは、液晶表示パネル２３２の表示単位と略同一のピッチとして、表示単位毎（すなわち、表示単位の水平ライン毎）に交互に設けられている。
【００３１】
この微細位相差板２３３は、基材の裏面（領域２３６ａ、２３６ｂの凹凸のない平面側）を通して領域２３６ａ、２３６ｂを液晶表示パネル２３２の表示ラインに合わせ、液晶表示パネル２３２の裏面の第２偏光板２３１の周辺部位に接着剤を介して接着される。
【００３２】
ディフューザ２２６は、液晶表示パネルユニット２２７を透過した光を上下方向に拡散する拡散手段として機能するもので、液晶表示パネルユニット２２７の前面に配設される。
【００３３】
フレネルレンズ２２８は、一側面に同心円上の凹凸を有するレンズ面を有した平板状の凸レンズで、液晶表示パネルユニット２２７の後面に配設される。
【００３４】
後部ユニット２２２は、後部ケース２３７に光源ユニット２３８、ミラー（反射部材）２４０（光学系部材）が組み付けられる。
【００３５】
後部ケース２３７は、前面ユニット２２１のフレネルレンズ２２８の後方側に上部空間２１０が、その下方に下部空間２１１が形成され、上部空間２１０と下部空間２１１とは区画壁（区画部材）２１２により画成される。区画壁２１２は、光を透過するクリア部材により形成される。区画壁２１２は、別部材として後部ケース２３７にはめ込んだり、固着したり、また、後部ケース２３７と一体成形するようにしても良い。
【００３６】
光源ユニット２３８は、後述するように、所定形状のホルダ２４２に光源２４３が配置され、後部ケース２３７の区画壁２１２で画成された下部空間２１１の後部壁２４４に、後傾して、液晶表示パネルユニット２２７に対して光源２４３が左右方向に配列されるように、取り付けられる。
【００３７】
ミラー２４０は、光源ユニット２３８の光源２４３の光をフレネルレンズ２２８に照射（反射）するように、後部ケース２３７の区画壁２１２で画成された上部空間２１０の所定角度前傾した上側後部壁に取り付けられる。
【００３８】
前面ユニット２２１は、後部ユニット２２２の後部ケース２３７に上部空間２１０の開口面に組み付けられ、前面ユニット２２１の下部には、後部ケース２３７の下部空間２１１の開口面に光源カバー２６２が取り付けられる。
【００３９】
すなわち、光源ユニット２３８の配設部（配設領域）に対して、後部ケース２３７に設けた区画壁２１２によって、フレネルレンズ２２８、ミラー２４０等の配設部（配設領域）が画成される。これにより、ケース内は、光源が配設される領域と光学系部材が配設される領域とを区画部材により区画されて、光源配設空間と光学系部材配設空間とを形成する。
【００４０】
図６〜図８は、光源ユニット２３８の斜視図（後述する換気用のダクト、ファンを含む）と分解斜視図と中央断面図である。
【００４１】
光源ユニット２３８は、光源２４３とプリズム２４５と偏光フィルタ２４６とホルダ２４２とから構成される。
【００４２】
光源２４３は、線状発光源を構成するように、長形の金属製の基板２４７に、発光素子（ＬＥＤ：白色発光ダイオード等）２４８が基板２４７の長手方向に沿ってその幅方向の一側に複数配設される。
【００４３】
基板２４７は、中央部２５０に対して両側の周辺部２５１が所定角度前面方向に斜行するように折り曲げ形成され、中央部２５０の発光素子２４８を配設してない側の端部中央に所定の切り欠き部２５２が形成される。
【００４４】
プリズム２４５は、発光素子２４８の光の拡散を防ぎ指向性を持たせて所定角度の拡がりで出射させるように、発光素子２４８側の底面面積が小さく偏光フィルタ側の頂面（出光面）面積が大きい略台形形状に形成されると共に、中央部２５０、周辺部２５１の発光素子２４８に対応して、中央部、周辺部のプリズム２４５毎に中央プリズム体２５３ａ、周辺プリズム体２５３ｂとして一体形成される。各プリズム体２５３ａ、２５３ｂの出光面部の両縁部にはそれぞれ取付用の突起部２５４が形成される。
【００４５】
偏光フィルタ２４６は、複数の発光素子２４８のうち、右側の発光素子２４８ａの光を左眼用の偏光の光に、左側の発光素子２４８ｂの光を右眼用の偏光の光にするもので、右側の偏光フィルタ２４６ａと左側の偏光フィルタ２４６ｂとが設けられ、曲形状の光透過性の基材２５５に、互いの偏光軸を直交する向きに、貼り付けられる。
【００４６】
ホルダ２４２は、熱伝導性樹脂（樹脂に金属粉を混ぜたもの）からなり、収納部２５６を形成する分割構造の収納ケース２５７ａ（側部カバー部材）、２５７ｂ（収納ベース部材）とカバー枠２５８とにより構成される。
【００４７】
収納ケース２５７ａは、中央部に対して両側の周辺部を所定角度ホルダ前面方向に斜行するように形成され、内壁に底辺に沿って底辺から所定高さに基板２４７を支持する受け台２６０が、内壁の上部にプリズム体２５３ａ、２５３ｂを係止する係止受部２６１が形成される。
【００４８】
収納ケース２５７ａの中央部の外面には前面ユニット２２１の下部に取り付けられる光源カバー２６２の掛止穴と嵌合する嵌合突起２６３が形成され、両側の周辺部にはケース端部中央に所定の空気導入口２６４が開設される。収納ケース２５７ａの周縁部には収納ケース２５７ｂとの取付ネジ用の穴２６５が形成される。
【００４９】
収納ケース２５７ｂは、後壁部２６６と底壁２６７とが中央部に対して両側の周辺部を所定角度ホルダ前面方向に斜行するように形成されると共に、後壁部２６６内に基板２４７の幅に対応して凹部２６８が形成される。底壁２６７の両側の周辺部にはケース端部に所定の空気導入口２７０が開設され、後壁部２６６の凹部２６８に底壁２６７に沿って底壁２６７から所定高さに基板２４７を支持する受け溝２７１が、後壁部２６６の内壁の上部にプリズム体２５３ａ、２５３ｂを係止する係止受部２６１が形成される。
【００５０】
後壁部２６６の両側の周辺部の外面にはホルダ２４２を後部ケース２３７の後部壁２４４に取り付けるための取付用ボス２７２が形成され、中央部には後壁部２６６の凹部２６８の中央に基板２４７の切り欠き部２５２に対応して所定の空気排出口２７３が開設される。この空気排出口２７３は、排出口端部が後部ケース２３７の後部壁２４４に形成された接続口（排気口）２７４に挿着されるように形成される。底壁２６７および両端壁２７５には収納ケース２５７ａとの取付用のネジ穴２７６が形成される。
【００５１】
カバー枠２５８は、収納ケース２５７ａ、２５７ｂの開口面に偏光フィルタ２４６を装着するもので、曲形状に形成されると共に、枠内周部には偏光フィルタ２４６の抑え２７７が、枠周囲下部には収納ケース２５７ａ、２５７ｂの外面に突設した係合受部２７８に係止する係合爪２８０が形成される。
【００５２】
図７の各部品を組み付ける手順は、まず基板２４７の発光素子２４８を配設してない側を収納ケース２５７ｂの凹部２６８の受け溝２７１に差し込み、収納ケース２５７ａを収納ケース２５７ｂに、基板２４７を収納ケース２５７ａの受け台２６０に支持して取り付ける。次に、基板２４７の中央部２５０の発光素子２４８に中央プリズム体２５３ａのプリズム２４５を、周辺部２５１の発光素子２４８に周辺プリズム体２５３ｂのプリズム２４５を合わせて、各プリズム体２５３ａ、２５３ｂを収納ケース２５７ａ、２５７ｂの係止受部２６１に係止して装着する。次に、カバー枠２５８を、カバー枠２５８に偏光フィルタ２４６を装着して、収納ケース２５７ａ、２５７ｂの開口面に、係合爪２８０を係合受部２７８に係止して取り付ける。
【００５３】
これにより、光源ユニット２３８が構成され、この状態において、図８のように光源ユニット２３８内（ホルダ２４２内）に光源２４３に沿う空間路２８１が形成される。
【００５４】
この空間路２８１は、基板２４７によって基板２４７表面側（発光素子２４８側）の前側空間２８２と基板２４７裏面側の後側空間２８３とに画成される。前側空間２８２は、各プリズム２４５の側部周辺領域に形成されるプリズム側部空間２８２ａと、基板２４７の表面に沿って形成される前側空気通過空間２８２ｂとから構成される。空間路２８１の両端部、つまり前側空間２８２の両端部は収納ケース２５７ａのケース端部中央に開設された空気導入口２６４に開通され、後側空間２８３の両端部は収納ケース２５７ｂの底壁２６７のケース端部に開設された空気導入口２７０に開通される。空間路２８１の中央部位、つまり前側空間２８２の中央部、後側空間２８３の中央部は、基板２４７の発光素子２４８を配設してない側の端部中央に形成された切り欠き部２５２を介して合流して、収納ケース２５７ｂの凹部２６８の中央に開設された空気排出口２７３に開通される。
【００５５】
図２、図３のように光源ユニット２３８は、後部ユニット２２２の後部ケース２３７の区画壁２１２で画成された下部空間２１１の後部壁２４４の所定位置に、後傾して、取付用ボス２７２を後部壁２４４の取付座に合わせてネジによって取り付けられる。光源ユニット２３８の空気排出口２７３は、後部壁２４４の中央下部に形成された接続口（排気口）２７４に挿着される。
【００５６】
光源ユニット２３８の取付位置は、それぞれ発光素子２４８がフレネルレンズ２２８の中心部からその焦点距離にほぼ等しい距離に来るように、かつそれぞれ光軸中心がフレネルレンズ２２８のほぼ中心部を通るように定められる（ミラー２４０を系路にする）。
【００５７】
後部ユニット２２２の後部ケース２３７の裏面には換気用のダクト２８４が配置され、ダクト２８４の先端部が光源ユニット２３８の空気排出口２７３に接続する接続口（排気口）２７４に挿着されると共に、ダクト２８４の後端の排気口２８５に電動式のファン２８６が介装される。
【００５８】
後部ケース２３７の下部空間２１１の開口面に取り付けられる光源カバー２６２には、吸気口２８８が開設される。
【００５９】
すなわち、後部ユニット２２２の後部ケース２３７の区画壁２１２で画成された下部空間２１１によって、空気流動領域部が構成される。
【００６０】
後部ユニット２２２の後部ケース２３７の裏面上部には、駆動用の基板が配設される基板ホルダ２９０が取り付けられる。
【００６１】
このように構成したので、ファン２８６の駆動により、画像表示装置２２０の外部の空気が、画像表示装置２２０の光源カバー２６２の吸気口２８８を介して、画像表示装置２２０の後部ユニット２２２の後部ケース２３７の下部空間２１１に流入され、光源ユニット２３８の両端部位の空気導入口２６４、２７０から光源ユニット２３８内の空間路２８１に吸引される。
【００６２】
空気導入口２６４から空間路２８１の前側空間２８２に吸引された空気は、基板２４７の両端部位から、各プリズム２４５の側部周辺領域のプリズム側部空間２８２ａと基板２４７の表面に沿う前側空気通過空間２８２ｂとを流れ、また各プリズム２４５間には間隙が空いているため、プリズム側部空間２８２ａの空気は各プリズム２４５間を通り、また各発光素子２４８の間には間隙が空いているため、各発光素子２４８の間に空気の流れができ、各間を通った空気は、基板２４７の中央部位の切り欠き部２５２を介して光源ユニット２３８の空気排出口２７３に吸出される。
【００６３】
空気導入口２７０から空間路２８１の後側空間２８３に吸引された空気は、基板２４７の両端部位から、基板２４７の裏面に沿って流れ、基板２４７の中央部位の切り欠き部２５２を介して光源ユニット２３８の空気排出口２７３に吸出される。
【００６４】
そして、空気排出口２７３に吸出された空気は、ダクト２８４を通り、ファン２８６を介装した排気口２８５から画像表示装置２２０の外部に排出される。
【００６５】
したがって、基板２４７の両端部位から空気が基板２４７の両面を流れると共に、各発光素子２４８に対してくまなく空気が流通するため、光源２４３を効率良く冷却することができる。
【００６６】
また、発光素子２４８の間も空気が流通するため、光源２４３を効率良く冷却できる。
【００６７】
各プリズム２４５間を空気が流れるため、各プリズム２４５を冷却できる。
【００６８】
基板２４７を金属部材により形成すると共に、発光素子２４８に対して幅の大きい基板２４７を用いるため、放熱性が高く、この基板２４７に設けられている光源２４３を効率良く十分に冷却することができる。
【００６９】
また、光源ユニット２３８のホルダ２４２を熱伝導性樹脂より形成したため、放熱性、冷却性を一層向上できる。
【００７０】
この一方、光源ユニット２３８が配設される後部ユニット２２２の後部ケース２３７の下部空間２１１に対して、区画壁２１２によって、フレネルレンズ２２８、ミラー２４０等の光学系部材の配設部（前面ユニット２２１内、後部ユニット２２２の後部ケース２３７の上部空間２１０）を画成するので、吸気口２８８から下部空間２１１に流入した空気が上部空間２１０および前面ユニット２２１内に侵入することがなく、その流入空気中の浮遊ゴミやたばこの煙に含まれるヤニ等がフレネルレンズ２２８やミラー２４０等に付着することを防止することができる。
【００７１】
このため、長期間使用している間に、そのゴミやたばこのヤニ等の汚れによってフレネルレンズ２２８の透過率が低下したり、ミラー２４０の反射が悪くなって、画面が暗くなるようなことがなく、明るい画像を提供することができる。また、これらの汚れによって、左眼用の光の方向あるいは右眼用の光の方向がずれたり、これらの光度が変わったりして、左眼用の画像と右眼用の画像とが混在してしまうといったクロストークの発生を回避することができる。特に、遊技店（喫煙者の多い）の遊技機の表示装置に用いる場合に効果が大きい。
【００７２】
また、区画壁２１２によって下部空間２１１を画成すると共に、光源２４３をホルダ２４２に収納して光源ユニット２３８として、そのユニット２３８内を換気、冷却するので、光源２４３を十分に冷却できると共に、光源ユニット２３８の壁部（ホルダ２４２）からの放熱を軽減でき、そのため光源２４３からの熱がフレネルレンズ２２８、ミラー２４０等の配設部（前面ユニット２２１内、後部ユニット２２２の後部ケース２３７の上部空間２１０）側に伝わるのを十分に抑制できる。
【００７３】
すなわち、熱によるフレネルレンズ２２８、ミラー２４０等への影響を防止できると共に、その光路空間にいわゆる空気の揺らぎを生じることを防止できる。
【００７４】
したがって、光源の光量を十分大きくすることができ、画像を適正に表示することができ、三次元画像表示装置２２０に好適な光源を実現できる。
【００７５】
図９は画像表示装置２２０の画像表示の説明図である。
【００７６】
光源２４３の左右の発光素子２４８ａ、２４８ｂの前面には、偏光フィルタ２４６が取り付けられている（プリズムは省略してある）。偏光フィルタ２４６は右側の発光素子２４８ａの前面領域（右側領域）２４６ａと左側の発光素子２４８ｂの前面領域（左側領域）２４６ｂとで透過する光の偏光が異なる（例えば、右側領域２４６ａと左側領域２４６ｂとで透過する光の偏光を９０度ずらす）ように設定されている。
【００７７】
左右の発光素子２４８ａ、２４８ｂから放射された光は、偏光フィルタ２４６によって一定の偏光の光のみが透過される。すなわち、左右の発光素子２４８ａ、２４８ｂから放射された光のうち、偏光フィルタ２４６の右側領域２４６ａを通過した光（右側の発光素子２４８ａの光）と、左側領域２４６ｂを通過した光（左側の発光素子２４８ｂの光）とが異なる偏光の光としてフレネルレンズ２２８に照射される。後述するように、偏光フィルタ２４６の右側領域２４６ａを通過した光は観察者の左目に到達し、左側領域２４６ｂを通過した光は観察者の右目に到達するようになっている。
【００７８】
フレネルレンズ２２８は凸レンズであり、フレネルレンズ２２８では左右の発光素子２４８ａ、２４８ｂから拡散するように放射された光の光路を略平行に屈折して微細位相差板２３３を透過して、液晶表示パネル２３２に照射する。
【００７９】
このとき、微細位相差板２３３から照射される光は、上下方向に広がることがないように出射され、液晶表示パネル２３２に照射される。すなわち、微細位相差板２３３の特定の領域を透過した光が、液晶表示パネル２３２の特定の表示単位の部分を透過するようになっている。
【００８０】
また、液晶表示パネル２３２に照射される光のうち、偏光フィルタ２４６の右側領域２４６ａを通過した光と左側領域２４６ｂを通過した光とは、異なる角度でフレネルレンズ２２８に入射し、フレネルレンズ２２８で屈折して左右異なる経路で液晶表示パネル２３２から放射される。
【００８１】
液晶表示パネル２３２に入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。
【００８２】
液晶表示パネル２３２の光源２４３側には、微細位相差板２３３及び偏光板２３１（第２偏光板）が配置されており、観察者側には、偏光板２３０（第１偏光板）が配置されている。
【００８３】
微細位相差板２３３は、設けられた１／２波長板２３５によって透過する光の位相を変える領域２３６ａと、１／２波長板２３５が設けられていないために透過する光の位相を変えない領域２３６ｂとが微細な間隔で繰り返して設けられている。
【００８４】
１／２波長板２３５は、その光学軸を偏光フィルタ２４６の右側領域２４６ａを透過する光の偏光軸と４５度傾けて配置して、右側領域２４６ａを透過した光の偏光軸を９０度回転させて出射する。すなわち、右側領域２４６ａを透過した光の偏光を９０度回転させて、左側領域２４６ｂを透過する光の偏光と等しくする。すなわち、１／２波長板２３５が設けられていない領域２３６ｂは左側領域２４６ｂを通過した、偏光板２３１と同一の偏光を有する光を透過し、１／２波長板２３５が設けられた領域２３６ａは右側領域２４６ａを通過した、偏光板２３１と偏光軸が直交した光を、偏光板２３１の偏光軸と等しくなるように回転させて出射する。
【００８５】
この微細位相差板２３３の偏光特性の繰り返しは、液晶表示パネル２３２の表示単位と略同一のピッチとして、表示単位毎（すなわち、表示単位の水平ライン毎）に透過する光の偏光が異なるようにする。よって、液晶表示パネル２３２の表示単位の水平ライン（走査線）毎に対応する微細位相差板の偏光特性が異なるようになって、水平ライン毎に出射する光の方向が異なる。
【００８６】
このように、微細位相差板２３３の偏光特性の繰り返し毎に異なる光を液晶表示パネル２３２の表示素子（水平ライン）に照射する必要があるため、微細位相差板２３３を透過して液晶表示パネル２３２に照射される光は、上下方向の拡散を抑制したものである必要がある。
【００８７】
すなわち、微細位相差板２３３の光の位相を変化させる領域２３６ａは、偏光フィルタ２４６の右側領域２４６ａを透過した光を、左側領域２４６ｂを透過した光の偏光と等しくして透過する。また、微細位相差板２３３の光の位相を変化させない領域２３６ｂは、偏光フィルタ２４６の左側領域２４６ｂを透過した光をそのまま透過する。そして微細位相差板２３３を出射した光は、左側領域２４６ｂを透過した光と同じ偏光を有して、液晶表示パネル２３２の光源側に設けられた偏光板２３１に入射する。
【００８８】
偏光板２３１は第２偏光板として機能し、微細位相差板２３３を透過した光と同一の偏光の光を透過する偏光特性を有する。すなわち、偏光フィルタ２４６の左側領域２４６ｂを透過した光は第２偏光板２３１を透過し、偏光フィルタ２４６の右側領域２４６ａを透過した光は偏光軸を９０度回転させられて第２偏光板２３１を透過する。また、偏光板２３０は第１偏光板として機能し、偏光板２３１と９０度異なる偏光の光を透過する偏光特性を有する。
【００８９】
このような微細位相差板２３３、偏光板２３１、液晶表示パネル２３２及び偏光板２３０を組み合わせて画像表示装置を構成する。このとき、液晶に電圧が加わった状態では、微細位相差板２３３を透過した光は偏光板２３０を透過する。一方、液晶に電圧が加わっていない状態では、微細位相差板２３３を透過した光は偏光が９０度ねじれて液晶表示パネル２３２から出射されるので、偏光板２３０を透過しない。
【００９０】
ディフューザ２２６は、第１偏光板２３０の前面側（観察者側）に取り付けられており、液晶表示パネルを透過した光を上下方向に拡散する。
【００９１】
図１０は、画像表示装置２２０の駆動回路６００を示すブロック図である。
【００９２】
画像表示装置を駆動するための主制御回路６０１には、ＣＰＵ６１１、プログラムなどを予め格納したＲＯＭ６１２、ＣＰＵ６１１の動作時にワークエリアとして使用されるメモリであるＲＡＭ６１３が設けられている。これらのＣＰＵ６１１、ＲＯＭ６１２及びＲＡＭ６１３はバス６１８によって接続されている。このバス６１８はＣＰＵ６１１がデータの読み書きをするために使用するアドレスバス及びデータバスから構成されている。
【００９３】
また、外部との入出力を司る通信インターフェース６１５、入力インターフェース６１６及び出力インターフェース６１７が、バス６１８に接続されている。通信インターフェース６１５は、所定の通信プロトコルに従ってデータ通信を行うためのデータ入出力部である。入力インターフェース６１６、出力インターフェース６１７は、画像表示装置に表示する画像データを入出力する。
【００９４】
また、バス６１８には、表示制御回路６０２のグラフィック・ディスプレイ・プロセッサ（ＧＤＰ）６５１が接続されている。ＧＤＰ６５１は、ＣＰＵ６１１によって生成された画像データを演算し、ＲＡＭ６５３に設けられたフレームバッファに書き込んで、画像表示装置に対して出力する信号（ＲＧＢ、Ｖ  ＢＬＡＮＫ、Ｖ＿ＳＹＮＣ、Ｈ＿ＳＹＮＣ）を生成する。ＧＤＰ６５１には、ＲＯＭ６５２及びＲＡＭ６５３が接続されており、ＲＡＭ６５３には、ＧＤＰ６５１が動作するためのワークエリア及び表示データを記憶するフレームバッファが設けられている。また、ＲＯＭ６５２には、ＧＤＰ６５１が動作するために必要なプログラム及びデータが記憶されている。
【００９５】
また、ＧＤＰ６５１には、ＧＤＰ６５１にクロック信号を供給する発振器６５８が接続されている。発振器６５８が生成するクロック信号は、ＧＤＰ６５１の動作周期を規定し、ＧＤＰ６５１から出力される同期信号（例えば、Ｖ＿ＳＹＮＣ、ＶＢＬＡＭＮＫ）の周期を生成する。
【００９６】
ＧＤＰ６５１から出力されるＲＧＢ信号は、γ補正回路６５９に入力されている。このγ補正回路６５９は、画像表示装置の信号電圧に対する照度の非線形特性を補正して、画像表示装置の表示照度を調整して、画像表示装置に対して出力するＲＧＢ信号を生成する。
【００９７】
合成変換装置６７０は、右目用フレームバッファ、左目用フレームバッファ及び立体視用フレームバッファが設けられており、ＧＤＰ６５１から送られてきた右目用画像を右目用フレームバッファに書き込み、左目用画像を左目用フレームバッファに書き込む。そして、右目用画像と左目用画像とを合成して立体視用画像を生成して立体視用フレームバッファに書き込んで、立体視用画像データをＲＧＢ信号として画像表示装置に出力する。
【００９８】
この右目用画像と左目用画像との合成による立体視用画像の生成は、微細位相差板２３３の１／２波長板２３５の間隔毎に、右目用画像と左目用画像と組み合わせる。具体的には、本実施の形態の画像表示装置の微細位相差板２３３の１／２波長板２３５は液晶表示パネル２３２の表示単位の間隔で配置されているので、液晶表示パネル２３２の表示単位の横方向ライン（走査線）毎に右目用画像と左目用画像とが交互に表示されるように立体視用画像を表示する。
【００９９】
Ｌ信号出力中にＧＤＰ６５１から送信されてきた左目用画像データを左目用フレームバッファに書き込み、Ｒ信号出力中にＧＤＰ６５１から送信されてきた右目用画像データを右目用フレームバッファに書き込む。そして、左目用フレームバッファに書き込まれた左目用画像データと、右目用フレームバッファに書き込まれた右目用画像データとを走査線一本毎読み出して、立体視用フレームバッファに書き込む。
【０１００】
画像表示装置内には液晶ドライバ（ＬＣＤ  ＤＲＶ）６８１、バックライトドライバ（ＢＬ  ＤＲＶ）６８２が設けられている。液晶ドライバ（ＬＣＤ  ＤＲＶ）６８１は、合成変換装置６７０から送られてきたＶ  ＢＬＡＮＫ信号、Ｖ＿ＳＹＮＣ信号、Ｈ＿ＳＹＮＣ信号及びＲＧＢ信号に基づいて、液晶表示パネルの電極に順次電圧をかけて、液晶表示パネルに立体視用の合成画像を表示する。
【０１０１】
バックライトドライバ６８２は、ＧＤＰ６５１から出力されたＤＴＹ＿ＣＴＲ信号に基づいてバックライト（光源２４３）に加わる電圧のデューティー比を変化させて、液晶表示パネル２３２の明るさを変化させる。
【０１０２】
図１１、図１２は、画像表示装置２２０の光学系を示す側面図、平面図である。ただし、図１１中、光源２４３は中央部のみを示し、点線で表した光源２４３は見かけ上の位置である。また、図１２においては、ミラー２４０を省略して、光源２４３を見かけ上の位置に、光源２４３（左右の発光素子２４８ａ、２４８ｂ）を概略的に表してある。
【０１０３】
図１１、図１２に示すように、光源２４３の各発光素子２４８ａ、２４８ｂから放射された光は偏光フィルタ２４６を透過して放射状に広がっている。
【０１０４】
右側の発光素子２４８ａから放射され偏光フィルタ２４６の右側領域２４６ａを透過した光（一点鎖線で光路の中心を示す）は、フレネルレンズ２２８に到達し、フレネルレンズ２２８で光の進行方向を変えられて、微細位相差板２３３、液晶表示パネル２３２を透過して左眼ゾーンに至る。
【０１０５】
光源２４３の中央部位（中心から右側）に右側の発光素子２４８ａを連続して配置してあるため、左眼ゾーンに至る光の照度は高くなる。すなわち、中心側の発光素子２４８ａからの光はＡＬ領域に至るが、これに隣接する発光素子２４８ａからの光はそのＡＬ領域に大きく重なり合った領域に出射され、このように順に隣接する発光素子２４８ａからの光は順に重なり合った領域に出射される。したがって、左眼ゾーンに十分な光が照射されるのである。
【０１０６】
左側の発光素子２４８ｂから放射され偏光フィルタ２４６の左側領域２４６ｂを透過した光（一点鎖線で光路の中心を示す）は、フレネルレンズ２２８に到達し、フレネルレンズ２２８で光の進行方向を変えられて、微細位相差板２３３、液晶表示パネル２３２を透過して右眼ゾーンに至る。
【０１０７】
光源２４３の中央部位（中心から左側）に左側の発光素子２４８ｂを連続して配置してあるため、右眼ゾーンに至る光の照度は高くなる。すなわち、中心側の発光素子２４８ｂからの光はＡＲ領域に至るが、これに隣接する発光素子２４８ｂからの光はそのＡＲ領域に大きく重なり合った領域に出射され、このように順に隣接する発光素子２４８ｂからの光は順に重なり合った領域に出射される。したがって、右眼ゾーンに十分な光が照射されるのである。
【０１０８】
液晶表示パネル２３２の走査線ピッチと、微細位相差板２３３の偏光特性の繰り返しピッチとを等しくして、液晶表示パネル２３２の走査線ピッチ毎に異なる方向から到来した光を照射し、異なる方向に光を出射する。
【０１０９】
右側の発光素子２４８ａから放射され、偏光フィルタ２４６の右側領域２４６ａを透過した光は、フレネルレンズ２２８を透過して、微細位相差板２３３に到達し、偏光を９０度回転させて出射する（右側領域２４６ａを透過した光を透過する）微細位相差板２３３の領域２３６ａを透過し、さらに、液晶表示パネル２３２を透過して、左眼ゾーンに至る。すなわち、液晶表示パネル２３２の領域２３６ａに対応する位置の表示素子によって表示された左目画像が左目に到達する。
【０１１０】
なお、この微細位相差板２３３の領域２３６ａと交互に並んで配置されている領域２３６ｂは光の偏光を変化させないので、偏光フィルタ２４６の右側領域２４６ａからの光は液晶表示パネル２３２の偏光板２３１つまり液晶表示パネル２３２の領域２３６ｂに対応する位置の表示素子（右目用画像を表示）を透過することはない。
【０１１１】
左側の発光素子２４８ｂから放射され、偏光フィルタ２４６の左側領域２４６ｂを透過した光は、フレネルレンズ２２８を透過して、微細位相差板２３３に到達し、偏光フィルタ２４６の左側領域２４６ｂの同一偏光の光を透過する微細位相差板２３３の領域２３６ｂを透過して、液晶表示パネル２３２を透過して、右眼ゾーンに至る。すなわち、液晶表示パネル２３２の領域２３６ｂに対応する位置の表示素子によって表示された右目画像が右目に到達する。
【０１１２】
なお、この微細位相差板２３３の領域２３６ｂと交互に並んで配置されている領域２３６ａは光の偏光を変化させるので、偏光フィルタ２４６の左側領域２４６ｂからの光は液晶表示パネル２３２の偏光板２３１つまり液晶表示パネル２３２の領域２３６ａに対応する位置の表示素子（左目用画像を表示）を透過することはない。
【０１１３】
一方、このような画像表示装置は、前述したように、フレネルレンズ２２８やミラー２４０等の汚れを防止してクロストークの発生を回避する必要があるほか、フレネルレンズ２２８、液晶表示パネル２３２での複屈折や散乱等、構造上生じるクロストークを抑える必要があるが、これに対し、左右方向にそれぞれ複数の右側発光素子２４８ａ、左側発光素子２４８ｂを配列したので、フレネルレンズ２２８、液晶表示パネル２３２での複屈折や散乱等に起因するクロストークを低減することができる。
【０１１４】
右側発光素子２４８ａ、左側発光素子２４８ｂをそれぞれ複数配列したことによって、前記のように左眼ゾーン、右眼ゾーンにそれぞれ十分な光が照射される。すなわち、左眼ゾーンには十分な光度の左目画像が到達し、右眼ゾーンには十分な光度の右目画像が到達する。そのため、フレネルレンズ２２８、液晶表示パネル２３２での複屈折や散乱によって右目用画像が左目に、また左目用画像が右目に入っても、左目に到達する左目画像との光度差、また右目に到達する右目画像との光度差が相対的に大きくなり、クロストークを十分に低減できるのである。
【０１１５】
したがって、右目画像と左目画像とによって、観察者は立体画像を認識しやすくなり、両眼視差に基づく３次元知覚により容易に立体視することができる。
【０１１６】
また、光源２４３の右周辺部位に配置された複数の右側発光素子２４８ａからの光は左眼ゾーンの左側に広角（ＤＬ領域）に出射され、光源２４３の左周辺部位に配置された複数の左側発光素子２４８ｂからの光は右眼ゾーンの右側に広角（ＤＲ領域）に出射される。
【０１１７】
したがって、画像表示装置の視野角が増大する。そのため、本画像表示装置でテレビゲーム等を行う場合あるいは本画像表示装置を遊技機（パチンコ機等）の画像表示装置に用いた場合に、遊技者だけでなく、周囲の者、大勢の人が画像を見ることができる。
【０１１８】
なお、ＤＬ領域、ＤＲ領域では立体画像を見れないが、２次元画像として見ることができる。
【０１１９】
図１３、図１４は、別の実施の形態を示す。
【０１２０】
これは、後部ユニット２２２の後部ケース２３７の下部空間２１１とフレネルレンズ２２８、ミラー２４０等の光学系部材の配設部（前面ユニット２２１内、後部ユニット２２２の後部ケース２３７の上部空間２１０）とを画成する区画壁３００の形状を、光源ユニット２３８のホルダ２４２の偏光フィルタ２４６を装着するカバー枠２５８の枠前面部３０１の曲形状と同一の曲形状に形成して、そのカバー枠２５８の枠前面部３０１を区画壁３００に密着させて、光源ユニット２３８を後部ケース２３７の下部空間２１１の後部壁２４４に取り付けるようにしたものである。
【０１２１】
このようにすれば、偏光フィルタ２４６ならびに偏光フィルタ２４６を通った光を透過する区画壁３００の部位が汚れることがなく、これらの汚れによって画面が暗くなったり、クロストークが発生するのを回避できる。
【０１２２】
図１５、図１６は、別の実施の形態を示す。
【０１２３】
これは、後部ユニット２２２の後部ケース２３７の下部空間２１１とフレネルレンズ２２８、ミラー２４０等の光学系部材の配設部（前面ユニット２２１内、後部ユニット２２２の後部ケース２３７の上部空間２１０）とを画成する区画壁３２０に開口部３２１を設け、光源ユニット２３８の偏光フィルタ２４６が後部ケース２３７の上部空間２１０側に位置するように、光源ユニット２３８を、その開口部３２１にホルダ２４２を嵌装して取り付けるようにしたものである。
【０１２４】
この場合、区画壁３２０は、ホルダ２４２の収納ケース２５７ａ、２５７ｂの周辺の斜行形状に合わせた形状に形成すると共に、開口部３２１は、ホルダ２４２の収納ケース２５７ａ、２５７ｂの周壁に沿う大きさ、形状に形成して、その収納ケース２５７ａ、２５７ｂの部位を開口部３２１に装着して、偏光フィルタ２４６、カバー枠２５８が、後部ケース２３７の上部空間２１０側に突出するように形成している。
【０１２５】
このようにすれば、偏光フィルタ２４６が汚れることを防止でき、明るい画面を維持でき、クロストークを回避できる一方、区画壁３２０をクリア部材で形成せずにすむ。
【０１２６】
図１７は、別の実施の形態を示す。
【０１２７】
これは、光源ユニット２３８のホルダ２４２の収納ケース２５７ｂに、基板２４７表面側（発光素子２４８側）の前側空間２８２を画成する隔壁３４０を設け、その前側空間２８２に開口する空気導入口（２６４）は形成せず、ホルダ２４２（収納ケース２５７ｂ）の底壁端部に基板２４７裏面側の後側空間２８３に開口する空気導入口２７０を形成すると共に、ホルダ２４２（収納ケース２５７ｂ）の凹部中央の空気排出口２７３を基板２４７裏面側の後側空間２８３にのみ通じるようにしたものである。
【０１２８】
このようにすれば、偏光フィルタ２４６の内面側、プリズム２４５（プリズム体）の各部、発光素子２４８が汚れることを防止でき、光量減少を的確に防止できる。
【０１２９】
図１８、図１９は、別の実施の形態を示す。
【０１３０】
これは、後部ユニット２２２の後部ケース３６０を分割構造にして、その分割ケース部３６２に光源ユニット２３８を取り付ける一方、本体ケース部３６１における分割ケース部３６２の取付面をクリア部材からなる区画壁３６３にて形成する。フレネルレンズ２２８を取り付ける前面ユニット２２１の前面ケース部２２３の下部ならびに本体ケース部３６１に、分割ケース部３６２の取付部３６４（一部図示してない）形成して、取付部３６４を介して分割ケース部３６２を着脱自由に取り付けるようにする。分割ケース部３６２の前面に吸気口２８８を形成する。なお、区画壁３６３は、分割ケース部３６２側に設けるようにしても良いし、また、分割ケース部３６２および本体ケース部３６１の両方に設けるようにしても良い。
【０１３１】
図示しないが、この場合、分割ケース部３６２は、外気が内部を自由に流通するように枠体にて形成するようにして良い。また、光源ユニット２３８を枠状の取付具に取り付けると共に、本体ケース部３６１そのものを後部ケース３６０にして、その後部ケース３６０に枠状の取付具に取り付けた光源ユニット２３８を外装するようにして組み付けても良い。
【０１３２】
このような分割構造あるいは外装構造にすれば、光源２４３の冷却を一層行いやすくなる。また、光源２４３の交換性が良い。
【０１３３】
なお、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】本発明の実施の形態の画像表示装置の正面図である。
【図２】そのＡ−Ａ線断面図である。
【図３】画像表示装置の分解斜視図である。
【図４】画像表示装置の後側構成部の斜視図である。
【図５】液晶表示パネルユニットの分解斜視図である。
【図６】光源ユニットの斜視図である。
【図７】光源ユニットの分解斜視図である。
【図８】光源ユニットの中央断面図である。
【図９】画像表示装置の画像表示の説明図である。
【図１０】画像表示装置の駆動回路のブロック図である。
【図１１】画像表示装置の光学系の側面図である。
【図１２】画像表示装置の光学系の平面図である。
【図１３】本発明の別の実施の形態の画像表示装置の分解斜視図である。
【図１４】後部ユニットの部分断面図である。
【図１５】本発明の別の実施の形態の画像表示装置の分解斜視図である。
【図１６】後部ユニットの部分断面図である。
【図１７】本発明の別の実施の形態の後部ユニットの部分断面図である。
【図１８】本発明の別の実施の形態の後部ユニットの部分分解断面図である。
【図１９】後部ユニットの部分組付断面図である。
【符号の説明】
２１０  上部空間
２１１  下部空間
２１２  区画壁
２２０  画像表示装置
２２１  前面ユニット
２２２  後部ユニット
２２３  取付ベース（前面ケース部）
２２４  カバー枠
２２６  ディフューザ（拡散板）
２２７  液晶表示パネルユニット
２２８  フレネルレンズ
２３０  第１偏光板
２３１  第２偏光板
２３２  液晶表示パネル
２３３  微細位相差板
２３７  後部ケース
２３８  光源ユニット
２４０  ミラー（反射部材）
２４２  ホルダ
２４３  光源
２４５  プリズム
２４６  偏光フィルタ
２４７  基板
２４８  発光素子
２５２  切り欠き部
２５３ａ  中央プリズム体
２５３ｂ  周辺プリズム体
２５７ａ、２５７ｂ  収納ケース
２５８  カバー枠
２６２  光源カバー
２６４  空気導入口
２６８  凹部
２７０  空気導入口
２７３  空気排出口
２７４  接続口（排気口）
２８１  空間路
２８２  前側空間
２８３  後側空間
２８４  ダクト
２８５  排気口
２８６  ファン
２８８  吸気口
３００  区画壁
３２０  区画壁
３２１  開口部
３４０  隔壁
３６０  後部ケース
３６１  本体ケース部
３６２  分割ケース部
３６３  区画壁
３６４  取付部
６００  駆動回路
【図１】
2004289248.tif 000003
【図２】
2004289248.tif 000004
【図３】
2004289248.tif 000005
【図４】
2004289248.tif 000006
【図５】
2004289248.tif 000007
【図６】
2004289248.tif 000008
【図７】
2004289248.tif 000009
【図８】
2004289248.tif 000010
【図９】
2004289248.tif 000011
【図１０】
2004289248.tif 000012
【図１１】
2004289248.tif 000013
【図１２】
2004289248.tif 000014
【図１３】
2004289248.tif 000015
【図１４】
2004289248.tif 000016
【図１５】
2004289248.tif 000017
【図１６】
2004289248.tif 000018
【図１７】
2004289248.tif 000019
【図１８】
2004289248.tif 000020
【図１９】
2004289248.tif 000021